(57)【要約】【課題】トレーを形成する隅部の結合作業が簡便で、強固に結合でき、しかも、結合を簡便に解ける構造のシートパレットを提供する。【解決手段】このシートパレットは、載置面１の周辺に折り目ａ、ｂを設けて形成した側壁片２と端壁片３を折り曲げて立設し、隣接する端部を結合してトレー状としている。この結合構造は側壁片２に差込片５を延設するとともに、端壁片３の端部寄りに複数の縦長の係止穴６、７を設け、差込片５を係止穴６の内側から挿入して係止穴７の外側から挿入して結合している。差込片５は、胴部５ｂの先端に係止穴６、７の長さより長い頭部５ａを備え、折りたたんだとき先端が狭まり該係止穴へ挿入できるように首部から頭部側へ斜めに折り目ｇを設け、胴部５ｂには折りたたむための折り目ｆを設けている。また、側壁片に４５度の折り目ｍを設け、差込片５を結合した状態でも折りたたみ可能とした。【選択図】図３
0003190092.tif 000002
【実用新案登録請求の範囲】
【請求項１】
載置面の周辺に折り目を設けて形成した側壁片と端壁片を折り曲げて立設し、その隣接する端部を結合してトレー状としたシートパレットにおいて、該側壁片に差込片を延設するとともに、該差込片に隣接する端壁片の端部寄りに複数の縦長の係止穴を設け、該差込片を隅部近傍の係止穴の内側から挿入して次の係止穴の外側から挿入し、または、該差込片を隅部近傍の係止穴の外側から挿入して次の係止穴の内側から挿入して結合するため、該差込片は、胴部の先端に該係止穴の長さより長い頭部を備え、折りたたんだとき先端が狭まり該係止穴へ挿入できるように首部から頭部側へ斜めに折り目ｇを設け、胴部には長手方向と直角方向に折りたたむための折り目ｆを設けたことを特徴とするシートパレット。
【請求項２】
前記差込片が挿入される複数の縦長の係止穴は、縦長の長さはそれぞれ同じものとし、差込片の胴部の長手方向と直角方向の長さより若干長くしたことを特徴とする請求項１に記載のシートパレット。
【請求項３】
前記係止穴は、それぞれ同形状とし、最後に挿入される係止穴は差込片の頭部を折りたたんだとき抜け易くするため、逃げ溝７ａが形成されたことを特徴とする請求項２に記載のシートパレット。
【請求項４】
前記側壁片と端壁片を連結したシートパレットを、不使用時にはシート状に折りたたみできるように、前記両側壁片には、端壁片の下端から側壁片の上端へ向かう４５度の折り目ｍを設けたことを特徴とする請求項１ないし請求項３に記載のいずれかのシートパレット。
【考案の詳細な説明】
【技術分野】
【０００１】
本考案はシートパレットに関し、特に、トレー状のシートパレットの構造に関する。
【背景技術】
【０００２】
シートパレットは、プッシュプル装置を備えたフォークリフトによる荷物の搬送に使用されるパレットであり、薄く軽量なので、一人で扱うことができ積載効率が高い。また、保管スペースの利用効率も高い。
シートパレットは、一端にグリッパーで把持するための折り曲げ可能なタブを形成した平板なものが多いが、荷物の積み降ろしや運搬を行う際に、急停止や振動等によって荷崩れを起こし易い。そこで、シートの周辺部に折り目を設けて側壁片と端壁片とタブを形成し、これを立ち上げたトレー状のシートパレットも多く使用されている。
【０００３】
このシートパレットは、一般に側壁片と端壁片を立ち上げて隅部を金属製のステーブルで結合している。しかし、この金具は廃棄のときには除去することが求められるので、煩わしい。そこで、このような、金具を使用せずに、両端部を互いに係合させて結合したものが開発されている（特許文献１、特許文献２）。
【０００４】
特許文献１のシートパレットは、側壁片と端壁片の一方の一端に折り曲げ片を設け、これを隣接する他方の一端に延出した延出片に通穴を形成し、これへ折り曲げ片を挿入して折り曲げて結合している。また、別の発明として、側壁片と端壁片の一方の一端に先端部に拡大部を有する延出片を設け、隣接する他方の一端に設けた２つのスリット状の通穴に縫うように挿入して結合している。
また、特許文献２のシートパレットは、側壁片と端壁片の一方の一端に切込みを形成した折り曲げ片を延設し、これを隣接する他方の一端に形成した切込みへ噛み合わせて結合している。
【先行技術文献】
【特許文献】
【０００５】
【特許文献１】特開平５−５１０３７号公報
【特許文献２】特開平８−１１８８３号公報
【考案の開示】
【考案が解決しようとする課題】
【０００６】
特許文献のシートパレットは、金具を使用せずに側壁と端壁を結合したトレー状に形成することができる。しかしながら、これらの結合構造は、差込片を係止穴に係合または、切込み同士を噛み合わせるのみであるので、結合が十分とはいえず、結合を外す方向へ荷重がかかった場合には、外れてしまうおそれがある。また、強固な結合を要求すると、作業が難しくなり、熟練を必要とする。さらに、再利用や長期保存などで、結合を解いて一枚のシートにする場合、結合部が破損し易く、結合前の状態に復帰させることが難しいという問題がある。
【０００７】
そこで、本考案は、トレーを形成する隅部の結合作業が簡便で、強固に結合でき、しかも、結合を簡便に解ける構造のシートパレットを提供することを目的としている。
【課題を解決するための手段】
【０００８】
上記の目的を達成するため、本考案のシートパレットは、次のように構成した。
すなわち、載置面の周辺に折り目を設けて形成した側壁片と端壁片を折り曲げて立設し、その隣接する端部を結合してトレー状としたシートパレットにおいて、該側壁片に差込片を延設するとともに、該差込片に隣接する端壁片の端部寄りに複数の縦長の係止穴を設け、該差込片を隅部近傍の係止穴の内側から挿入して次の係止穴の外側から挿入し、または、該差込片を隅部近傍の係止穴の外側から挿入して次の係止穴の内側から挿入して結合するため、該差込片は、胴部の先端に該係止穴の長さより長い頭部を備え、折りたたんだとき先端が狭まり該係止穴へ挿入できるように首部から頭部側へ斜めに折り目ｇを設け、胴部には長手方向と直角方向に折りたたむための折り目ｆを設けたことを特徴としている。
【０００９】
このトレー状のシートパレットは、必要に応じて連結を外してシート状にすることができる。なお、シートパレットの材料は、厚紙が望ましい。
差込片は、係止穴の長さより長い頭部を有し、頭部の部分を折りたたんで先端が狭まり係止穴を潜らせることができるように首部から頭部側へ斜めに折り目ｇを設ける。
係止穴は端壁片を立ち上げたときに縦に長く、端部寄りに複数個（２ないし３個）設ける。
【００１０】
そして複数の係止穴は、請求項２に記載のように、縦長の長さはそれぞれ同じものとし、差込片の胴部の長手方向と直角方向の長さより若干長くするとよい。望ましくは、係止穴は、請求項３に記載のように、それぞれ同形状とし、最後に挿入される係止穴は差込片の頭部を折りたたんだとき抜け易くするため、逃げ溝７ａを形成する。
なお、トレー状に連結したままで、不使用時にはシート状に折りたたみできるように、両側壁片には、端壁片の下端から側壁片の上端へ向かう４５度の折り目ｍを設けるとよい（請求項４）。
【考案の効果】
【００１１】
本考案のシートパレットは、該側壁片に差込片を延設するとともに、該差込片に隣接する端壁片の端部寄りに複数の縦長の係止穴を設け、該差込片を順次係止穴へ縫うように挿入して結合し、該差込片は、胴部の先端に該係止穴の長さより長い頭部を備え、折りたたんだとき先端が狭まり該係止穴へ挿入できるように首部から頭部側へ斜めに折り目ｇを設け、胴部には長手方向と直角方向に折りたたむための折り目ｆを設けたので、作業が簡便で強固な結合ができる。しかも、折り目ｇから折りたたんで係止穴から抜くだけの簡単な作業で結合を解くことができる。
【図面の簡単な説明】
【００１２】
【図１】本考案のシートパレット１０Ａの実施の形態を示す全体斜視図である。
【図２】同上、シートパレット１０Ａの展開図で、パレット板１０である。
【図３】同上、図２のＡ部の拡大平面図である。
【図４】同上、結合部を示す斜視図である。
【図５】同上、結合部の他の例を示す斜視図である。
【図６】同上、図４に示す結合部の作業手順（差込片５を係止穴６および係止穴７へ挿通する）を示す斜視図である。
【図７】同上、シート状に折りたたんだ状態を示す平面図である。
【考案を実施するための最良の形態】
【００１３】
本考案のシートパレットの実施の形態を、図１〜図７を参照しながら説明する。
図１は、シートパレット１０Ａの全体を示す斜視図で、載置面１の周辺には側壁２Ａと端壁３Ａとタブ４が形成されている。図２は、シートパレット１０Ａの展開図である紙製のパレット板１０で、図３は、Ａ部拡大図である。図４は、側壁２Ａと端壁３Ａの隅部の結合部を示す斜視図で、図５は別の結合を示す斜視図である。図６（ａ）〜（ｄ）は、結合部の作業手順を示す斜視図である。図７は、トレー状のシートパレットをシート状に折りたたんだ状態を示す平面図である。
【００１４】
パレット板１０は、図２に示すように、ほぼ矩形状であり、折り目ａ、ｂ、ｃを備え、中央部の載置面１と、側壁片２と、端壁片３と、タブ４に分割されている。ここでは、大きさは、載置面１が、およそ１.１ｍ×１ｍの矩形状で、側壁片２と端壁片３およびタブ４の幅寸法は９４ｍｍとしている。なお、この明細書では、端壁片３からタブ４への方向をＹ方向、Ｙ方向に直角な方向をＸ方向というものとする。
【００１５】
側壁片２は、折り目ａの延長上に折り目ｄを介して差込片５がＹ方向に延設され、折り目ｄとは別に折り目ａの起点と終点から外側へ斜め４５度の折り目ｍが設けられている。また、下方にはＸ方向の折り目ｊ、ｈが設けられている。
差込片５は、図３に示すように、頭部５ａ、胴部５ｂおよび基部５ｃからなり、胴部５ｂと基部５ｃとの境にはＸ方向の折り目ｅが、設けられている。胴部５ｂの中央部にもＸ方向の折り目ｆが設けられ、頭部５ａは係止穴６，７の長さより長く、折りたたんだとき先端が狭まり該係止穴６，７へ挿入できるように首部５ｄから頭部側へ斜めに折り目ｇが２個設けられている。なお、差込片５の大きさは、ここでは、長さは、９４ｍｍで、頭部５ａの長さＬは６４ｍｍ、幅は１５ｍｍ、胴部の幅Ｍは３４ｍｍとしている。また、頭部５ａを折り目ｇから折りたたんだ状態では、頭部５ａの先端部は２３ｍｍに狭まる。
【００１６】
端壁片３には、両端側に、差込片５が係合する複数の係止穴６、７が形成されている。ここでは、係止穴６と係止穴７の寸法は、いずれも、Ｙ方向の長さ３６ｍｍ、幅１６ｍｍとしている。そして、係止穴７の外側のＹ方向の穴縁には差込片５の脱着を容易にするための逃げ溝７ａが２個設けられている。
タブ４は、折り目ｃによって折り曲げ可能で、保管中の荷崩れを防止するなど必要により、立設して、側壁片２の下端部を折り目ｈから折り曲げて、外面からテープで貼着することにより、載置面１の四方とも壁を立設させることができる。
【００１７】
次に、パレット板１０を図１のトレー状のシートパレット１０Ａに組み立てる作業について図６に基いて説明する。なお、組み立てる時期については、常時は、パレット板１０の状態に保管し、使用するときに組み立ててトレー状としてもよいし、予めトレー状に組み立てて、折り目ｍから端壁３を載置面１側へ折りたたんでシート状にして保管してもよい。
【００１８】
トレー状に組み立てる作業は、まず、折り目ａ、ｂ、ｄ、ｅ、ｆ、ｇに折りグセを付けてから、端壁片３と側壁片２を折り目ａと折り目ｂから内側へ折り曲げて立設する。
次に、図６（ａ）に示すように、差込片５の頭部５ａを折り目ｇから手前側へ折りたたみ、この状態で係止穴６へ内側から外側へ向けて挿通する（図６（ｂ）の状態）。そして、端壁片３の外側に出た差込片５を係止穴７に内側へ向けて挿通する（図６（ｃ）の状態）。この場合、折り目ｅ、折り目ｆを適宜折り曲げながら行う。頭部５ａが係止穴７から内側へ出たら、折り目ｇの押えを解けば、頭部５ａは折り目ｇから拡がり図６（ｄ）の状態となり、差込片５が係止穴６、７に完全に結合される。
図４は、この結合部を外側（端壁３の外方）からみた斜視図であり、外壁２の左右の差込片５が係止穴６，７に係止された状態を示している。
【００１９】
次に上記とは別の結合について図５を参照して説明する。
この結合構造は、差込片５を係止穴６の外側から内側へ向けて挿通する点において上記とは相違する。この場合、差込片５の頭部５ａは、係止穴７の外側へ突出する。なお、この場合の作業では、折り目ｆと折り目ｇは、上記の場合とは逆に外側へ折り曲げて行う。
【００２０】
なお、上記の説明では、考案の内容をより理解しやすくするために、シートパレットの各部の寸法を示して説明したが、これに限定するものでないことは当然である。
【符号の説明】
【００２１】
ａ、ｂ、ｃ  折り目
ｄ、ｅ、ｆ  折り目
ｇ、ｈ、ｊ  折り目
ｋ  切れ目
１０Ａ  シートパレット
１０  パレット板
１  載置面
２Ａ  側壁
２  側壁片
３Ａ  端壁
３  端壁片
４  タブ
５  差込片
５ａ  頭部
５ｂ  胴部
５ｃ  基部
５ｄ  首部
６  係止穴
７  係止穴
７ａ  逃げ溝
【図１】
0003190092.tif 000003
【図２】
0003190092.tif 000004
【図３】
0003190092.tif 000005
【図４】
0003190092.tif 000006
【図５】
0003190092.tif 000007
【図６】
0003190092.tif 000008
【図７】
0003190092.tif 000009